(57)【要約】【課題】例えば、仕切部材の取り付けがしやすい新規な構成のスイッチギヤを得る。【解決手段】実施形態のスイッチギヤは、例えば、筐体と、仕切部材と、引掛部と、支持部と、を備えている。仕切部材は、筐体内に設けられ、筐体内を仕切っている。引掛部は、仕切部材に設けられている。支持部は、筐体に固定され、引掛部が引っ掛けられ引掛部を介して仕切部材を支持している。【選択図】図３
2019054589.tif 000002
【特許請求の範囲】
【請求項１】
筐体と、
前記筐体内に設けられ、前記筐体内を仕切った仕切部材と、
前記仕切部材に設けられた引掛部と、
前記筐体に固定され、前記引掛部が引っ掛けられ前記引掛部を介して前記仕切部材を支持した支持部と、
を備えた、スイッチギヤ。
【請求項２】
前記支持部には、前記引掛部の一部が入れられた開口部が設けられた、請求項１に記載のスイッチギヤ。
【請求項３】
前記開口部は、前記筐体の上下方向に延び下端部が前記支持部に塞がれた第一部分と、前記第一部分から前記上下方向と交差する方向に延び前記第一部分とは反対側に開口した第二部分と、を含み、
前記支持部は、前記開口部に面した鉤状部を有した、請求項２に記載のスイッチギヤ。
【請求項４】
互いに重ねられた複数の前記仕切部材を備えた、請求項１〜３のいずれか一つに記載のスイッチギヤ。
【発明の詳細な説明】
【技術分野】
【０００１】
本発明の実施形態は、スイッチギヤに関する。
【背景技術】
【０００２】
従来、筐体と、筐体内を仕切る仕切部材と、を備えたスイッチギヤが、知られている。このような構成のスイッチギヤでは、例えば、筐体内で発生した高温や高圧のガスの流動が仕切部材によって抑制されるので、仕切部材に面した筐体の外壁がガスによって変形されるのが抑制されやすい。
【先行技術文献】
【特許文献】
【０００３】
【特許文献１】特開２０１３−１２１２２７号公報
【発明の概要】
【発明が解決しようとする課題】
【０００４】
この種のスイッチギヤでは、例えば、仕切部材の取り付けがしやすい新規な構成が得られれば、好ましい。
【課題を解決するための手段】
【０００５】
実施形態のスイッチギヤは、例えば、筐体と、仕切部材と、引掛部と、支持部と、を備えている。前記仕切部材は、前記筐体内に設けられ、前記筐体内を仕切っている。前記引掛部は、前記仕切部材に設けられている。前記支持部は、前記筐体に固定され、前記引掛部が引っ掛けられ前記引掛部を介して前記仕切部材を支持している。
【図面の簡単な説明】
【０００６】
【図１】図１は、第１実施形態のスイッチギヤの例示的かつ模式的な側面図である。
【図２】図２は、第１実施形態のスイッチギヤの例示的かつ模式的な斜視図であって、背面扉が開かれた状態での図である。
【図３】図３は、第１実施形態のスイッチギヤの仕切部材および仕切部材の取付構造の例示的かつ模式的な分解斜視図である。
【図４】図４は、第２実施形態のスイッチギヤの例示的かつ模式的な斜視図であって、背面扉が開かれた状態での図である。
【図５】図５は、第２実施形態のスイッチギヤの仕切部材および仕切部材の取付構造の例示的かつ模式的な分解斜視図である。
【発明を実施するための形態】
【０００７】
以下、本発明の例示的な実施形態が開示される。以下に示される実施形態の構成、ならびに当該構成によってもたらされる作用および結果（効果）は、一例である。
【０００８】
また、以下に開示される複数の実施形態には、同様の構成要素が含まれる。よって、以下では、それら同様の構成要素には共通の符号が付与されるとともに、重複する説明が省略される。なお、以下の各図では、便宜上、互いに直交する三方向が定義されている。Ｘ方向は、筐体２の前後方向に沿い、Ｙ方向は、筐体２の幅方向に沿い、Ｚ方向は、筐体２の高さ方向（上下方向）に沿う。また、本明細書において、序数は、部品や部位等を区別するために便宜上付与されており、優先順位や順番を示すものではない。
【０００９】
＜第１実施形態＞
図１，２に示されるスイッチギヤ１は、例えば、建物の電気室等に設置される。スイッチギヤ１は、筐体２を備えている。スイッチギヤ１は、不図示の遮断器や保護継電器等の収容部品（収容物）が金属製の筐体２内に収容された、所謂金属閉鎖形スイッチギヤである。筐体２内には複数の室Ｒが設けられており、複数の収容部品が複数の室Ｒに分散して配置されている。筐体２には、例えば、遮断器、計器用変成器等を有し主に電力を受電する受電盤や、遮断器、変流器、零相変流器等を介して負荷供給用のケーブルが引き出されるフィーダ盤、主母線を系統毎に遮断器によって切り分ける母線連絡盤等が含まれる。筐体２は、盤や、閉鎖箱等とも称されうる。
【００１０】
筐体２は、例えば、直方体状の箱型に構成されている。筐体２は、外壁部としての複数の壁部２ａ〜２ｆを有している。
【００１１】
壁部２ａおよび壁部２ｂは、いずれも、Ｚ方向と直交する方向（ＸＹ平面）に沿って延びており、Ｚ方向に間隔をあけて互いに平行に設けられている。壁部２ａは、天壁部や上壁部等と称され、壁部２ｂは、底壁部や下壁部等とも称される。
【００１２】
また、壁部２ｃおよび壁部２ｅは、いずれも、Ｘ方向と直交する方向（ＹＺ平面）に沿って延びており、Ｘ方向に間隔をあけて互いに平行に設けられている。また、壁部２ｄおよび壁部２ｆは、いずれも、Ｙ方向と直交する方向（ＸＺ平面）に沿って延びており、Ｙ方向に間隔をあけて互いに平行に設けられている。壁部２ｃは、前壁部等と称され、壁部２ｅは、後壁部、背面壁部等とも称される。また、壁部２ｃ〜２ｆは、側壁部や周壁部等とも称されうる。
【００１３】
また、図２に示されるように、筐体２には、Ｘ方向に向けて開放され、背面扉８によって開閉可能に覆われた作業用の開口部２ｇが設けられている。背面扉８は、壁部２ｅの少なくとも一部を構成している。背面扉８は、筐体２に、背面扉８のＹ方向の反対方向の端部（Ｚ方向）に沿って延びる回転軸を有したヒンジ部（不図示）を介して、回転可能に支持されている。背面扉８は、回転軸回りに回転することで、開口部２ｇを閉じる閉位置（図１）と、開口部２ｇを開放する開位置（図２）との間で、移動可能である。背面扉８は、扉の一例である。
【００１４】
図１に示されるように、筐体２内には、複数の仕切壁部２ｈが設けられている。これらの複数の仕切壁部２ｈが、筐体２内を複数の室Ｒに仕切っている。複数の仕切壁部２ｈは、Ｘ方向に壁部２ｅと面した仕切壁部２ｈ１を含む。
【００１５】
図１，２に示されるように、仕切壁部２ｈ１には、仕切部材３が設けられている。仕切部材３は、仕切壁部２ｈ１の少なくとも一部を構成している。すなわち、仕切部材３は、筐体２内を仕切っている。
【００１６】
図２，３に示されるように、仕切部材３は、厚さ方向がＸ方向に沿う四角の板状に構成されている。仕切部材３には、複数の開口部３ａが設けられている。開口部３ａは、仕切部材３の厚さ方向に仕切部材３を貫通した貫通孔である。
【００１７】
仕切部材３は、引掛部４および支持部５を介して、筐体２に取り付けられている。本実施形態では、仕切部材３は、ボルト等の締結具を介さずに、支持部５に対する引掛部４の引っ掛けによって、支持部５に取り付けられている。
【００１８】
図３に示されるように、引掛部４は、仕切部材３のＹ方向の端部３ｂ（辺部）およびＹ方向の反対方向の端部３ｃ（辺部）のそれぞれに設けられている。端部３ｂに設けられた引掛部４と端部３ｃに設けられた引掛部４とは、互いの間に位置されるＸＺ平面に関して対称形状である。
【００１９】
引掛部４は、二つの壁部４ａ，４ｂを有し、Ｚ方向に沿って見た場合に略Ｌ字状に構成されている。壁部４ａ，４ｂは、いずれも、長手方向が筐体２の高さ方向すなわちＺ方向に沿う帯状に構成されている。壁部４ａは、Ｙ方向と直交する方向（ＸＺ平面）に沿って延びている。壁部４ａは、端部３ｂ，３ｃに固定され、端部３ｂ，３ｃからＸ方向に延びている。壁部４ｂは、Ｘ方向と直交する方向（ＹＺ平面）に沿って延びている。壁部４ｂは、壁部４ａのＸ方向の端部から筐体２の幅方向外側に延びている。すなわち、端部３ｂに設けられた引掛部４の壁部４ｂは、壁部４ａからＹ方向に延び、端部３ｃに設けられた引掛部４の壁部４ｂは、壁部４ａからＹ方向の反対方向に延びている。壁部４ａ，４ｂは、板部とも称されうる。
【００２０】
また、壁部４ｂには、複数の開口部４ｃが設けられている。複数の開口部４ｃは、筐体２の高さ方向、すなわちＺ方向に互いに間隔を空けて一列に並べられている。複数の開口部４ｃは、壁部４ｂの厚さ方向、すなわちＸ方向に壁部４ｂを貫通している。開口部４ｃは、筐体２の高さ方向すなわちＺ方向に長い長孔状に構成されている。開口部４ｃは、貫通孔とも称されうる。
【００２１】
支持部５は、二つの引掛部４のそれぞれに対して設けられている。すなわち、二つの支持部５が設けられている。二つの支持部５は、Ｙ方向に互いに間隔を空けて配置されている。支持部５は、筐体２に固定されている。筐体２に対する支持部５の固定は、例えばボルト等の結合具によってなされうる。なお、筐体２に対する支持部５の固定は、これに限られない。支持部５は、ベースとも称されうる。
【００２２】
二つの支持部５は、互いの間に位置されるＸＺ平面に関して対称形状である。支持部５は、三つの壁部５ａ〜５ｃを有し、Ｚ方向に沿って見た場合に略Ｕ字状に構成されている。壁部５ａ〜５ｃは、いずれも、長手方向が筐体２の高さ方向すなわちＺ方向に沿う帯状に構成されている。壁部５ａは、Ｘ方向と直交する方向（ＹＺ平面）に沿って延びている。壁部５ｂ，５ｃは、いずれも、Ｙ方向と直交する方向（ＸＺ平面）に沿って延びており、Ｙ方向に間隔をあけて互いに平行に設けられている。壁部５ｂは、筐体２の幅方向における壁部５ａの内側の端部から、筐体２の正面側すなわちＸ方向の反対方向に延びている。壁部５ｃは、筐体２の幅方向における壁部５ａの外側の端部から、筐体２の正面側すなわちＸ方向の反対方向に延びている。壁部５ａ〜５ｃは、板部とも称されうる。
【００２３】
また、壁部５ｂには、複数の開口部５ｄが設けられている。複数の開口部５ｄは、筐体２の高さ方向すなわちＺ方向に互いに間隔を空けて一列に並べられている。複数の開口部５ｄは、壁部５ｂの厚さ方向すなわちＹ方向に壁部５ｂを貫通している。開口部５ｄは、第一部分５ｅと、第一部分５ｅと通じた第二部分５ｆと、を含み、略Ｌ字状に構成されている。第一部分５ｅと第二部分５ｆとは、連続している。第一部分５ｅは、筐体２の上下方向（Ｚ方向）に延びている。第一部分５ｅの下端部５ｇは、支持部５、具体的には開口部５ｄに面した壁部５ｂの面によって塞がれている。第二部分５ｆは、第一部分５ｅの上端部から、筐体２の正面側すなわちＸ方向の反対方向に延び、第一部分５ｅとは反対側に開口している。すなわち、第二部分５ｆは、Ｘ方向の反対方向に開口している。Ｘ方向の反対方向は、筐体２の上下方向と交差する方向の一例である。
【００２４】
また、壁部５ｂは、複数の鉤状部５ｉを有している。複数の鉤状部５ｉは、筐体２の高さ方向、すなわちＺ方向に互いに間隔を空けて一列に並べられている。鉤状部５ｉは、壁部５ｂにおける、各開口部５ｄの下側の部分、によって構成されている。すなわち、鉤状部５ｉは、開口部５ｄに面している。鉤状部５ｉは、突起部とも称されうる。
【００２５】
上記構成では、引掛部４を支持部５の鉤状部５ｉに引っ掛けることにより、仕切部材３が支持部５（筐体２）に取り付けられ、仕切部材３が筐体２に支持される。支持部５に対して引掛部４を引っ掛ける際には、引掛部４における開口部４ｃの上側の部分である挿入部４ｄを、支持部５の開口部５ｄの第二部分５ｆ内に入れて、Ｘ方向に移動させる。次に、挿入部４ｄを、第二部分５ｆから第一部分５ｅに入れ、Ｚ方向の反対方向、すなわち下方に移動させて、鉤状部５ｉに引っ掛ける。これにより、引掛部４の開口部４ｃ内に支持部５の一部（鉤状部５ｉ）が入れられ、支持部５の開口部５ｄ内に引掛部４の一部（挿入部４ｄ）が入れられた状態となる。
【００２６】
また、上記構成では、例えば、異常等によって筐体２内で高温や高圧のガスが生じた場合、当該ガスの流動が仕切壁部２ｈによって抑制されるので、仕切壁部２ｈに面した筐体２の外壁（壁部２ａ〜２ｆ）が当該ガスによって変形されるのが抑制されやすい。一例として、仕切壁部２ｈ１を構成する仕切部材３は、仕切部材３における背面扉８とは反対側の室Ｒ１内で高温や高圧のガスが生じた場合、当該ガスが背面扉８に向かって流動するのを抑制する。これにより、ガスによって背面扉８が変形することが抑制される。室Ｒ１から仕切部材３の開口部３ａを通って室Ｒ１外に流出したガスは、例えば、壁部２ａ等に設けられた開口部から筐体２外へ排出される。また、室Ｒ１以外の室Ｒ内で発生したガスも、壁部２ａ等に設けられた開口部から筐体２外へ排出される。
【００２７】
以上のように、本実施形態では、スイッチギヤ１は、筐体２と、仕切部材３と、引掛部４と、支持部５と、を備えている。仕切部材３は、筐体２内に設けられ、筐体２内を仕切っている。また、引掛部４は、仕切部材３に設けられている。また、支持部５は、筐体２に固定され、引掛部４が引っ掛けられ引掛部４を介して仕切部材３を支持している。よって、本実施形態によれば、例えば、仕切部材３の取り付けの際には、引掛部４を支持部５に引っ掛けることにより、仕切部材３を筐体２に取り付けることができる。よって、例えば、工具が必要なボルト等の締結部材によって、仕切部材３を支持部５に取り付ける構成に比べて、仕切部材３の取り付けがしやすい。
【００２８】
＜第２実施形態＞
図４，５に示される本実施形態のスイッチギヤ１Ａは、上記第１実施形態のスイッチギヤ１と同様の構成を備えている。よって、本実施形態によっても、上記第１実施形態と同様の構成に基づく同様の結果（効果）が得られる。
【００２９】
ただし、本実施形態では、例えば、図４に示されるように、仕切壁部２ｈに複数（一例として、二つ）の仕切部材３が設けられている。二つの仕切部材３は、Ｘ方向に互いに重ねられている。具体的には、二つの仕切部材３は、Ｘ方向に間隔を空けて互いに重ねられている。なお、二つの仕切部材３は、Ｘ方向に間隔を空けずに互いに接触した状態で重ねられていてもよい。
【００３０】
各仕切部材３には、第１実施形態と同様に、二つの引掛部４が設けられている。これら二つの仕切部材３は、二つの支持部５に一緒に取り付けられている。
【００３１】
図５に示されるように、支持部５の壁部５ｂの開口部５ｄは、複数（一例として、二つ）の第一部分５ｅと、一つの第二部分５ｆと、を含んでいる。二つの第一部分５ｅは、Ｘ方向に互いに間隔を空けて並べられている。第二部分５ｆは、二つの第一部分５ｅの上端部に通じている。
【００３２】
また、壁部５ｂは、複数の鉤状部５ｉを有している。複数の鉤状部５ｉは、筐体２の高さ方向、すなわちＺ方向に互いに間隔を空けて二列に並べられている。
【００３３】
以上のように、本実施形態では、複数の仕切部材３が互いに重ねられている。よって、一例として、室Ｒ１内で高温や高圧のガスが生じた場合、当該ガスが背面扉８に向かって流動するのが、より抑制される。これにより、ガスによって背面扉８が変形することがより抑制される。また、複数の仕切部材３が互いに重ねられているので、筐体２内の限られたスペースに、複数の仕切部材３を配置しやすい。
【００３４】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００３５】
１，１Ａ…スイッチギヤ、２…筐体、３…仕切部材、４…引掛部、５…支持部、５ｄ…開口部、５ｅ…第一部分、５ｆ…第二部分、５ｇ…下端部、５ｉ…鉤状部。
【図１】
2019054589.tif 000003
【図２】
2019054589.tif 000004
【図３】
2019054589.tif 000005
【図４】
2019054589.tif 000006
【図５】
2019054589.tif 000007